(57)【要約】【課題】暖房運転の起動時に、温風の到達性を良好とし、早急に暖房感を得られる空気調和装置を提供することを目的とする。【解決手段】それぞれターボファン１９によって室内熱交換器１７を通って供給される空調空気を室内へ吹き出す、上下方向に離隔して配置された上部吹出口４１および下部吹出口４５と、運転を制御する制御部２３と、を備えている空気調和装置１であって、制御部２３には、暖房運転の起動時に投入され、風量が自動設定で、かつ、風向が上部吹出口４１および下部吹出口４５の両方から吹き出される設定である場合に、空調空気を所定時間下部吹出口４５からのみ吹き出させる暖房立上運転モード７９が備えられていることを特徴とする。【選択図】図１
2010078254.tif 000002
【特許請求の範囲】
【請求項１】
それぞれ送風機によって室内熱交換器を通って供給される空調空気を室内へ吹き出す、上下方向に離隔して配置された上部吹出口および下部吹出口と、
運転を制御する制御部と、
を備えている空気調和装置であって、
前記制御部には、暖房運転の起動時に投入され、風量が自動設定で、かつ、風向が前記上部吹出口および前記下部吹出口の両方から吹き出される設定である場合に、前記空調空気を所定時間前記下部吹出口からのみ吹き出させる暖房立上運転モードが備えられていることを特徴とする空気調和装置。
【請求項２】
前記暖房立上運転モードは、前記送風機の送風速度を増速することを特徴とする請求項１に記載の空気調和装置。
【請求項３】
前記暖房立上運転モードは、前記風量あるいは前記風向の設定が変更された場合、前記所定時間の経過を待たずに終了されることを特徴とする請求項１または請求項２に記載の空気調和装置。
【請求項４】
前記室内熱交換器に吸入される前記室内の空気温度を検出して前記制御部に入力する吸入空気温度検出手段を備え、
前記暖房立上運転モードは、前記空気温度が設定された暖房設定温度に近づいた場合、前記所定時間の経過を待たずに終了されることを特徴とする請求項１から請求項３のいずれかに記載の空気調和装置。
【請求項５】
前記室内熱交換器の温度を検出して前記制御部に入力する室内熱交換器温度検出手段を備え、
前記暖房立上運転モードは、前記室内熱交換気の温度が所定温度を超えていない場合、不実施とされることを特徴とする請求項１から請求項４のいずれかに記載の空気調和装置。
【発明の詳細な説明】
【技術分野】
【０００１】
本発明は、空気調和装置に関するものである。
【背景技術】
【０００２】
従来から、空調された空気を室内に吹出するために上下方向に離隔して配置された上部吹出口および下部吹出口を備えた空気調和装置が知られている。これは、特に床置形の室内ユニットにおいてよく用いられている。
この空気調和装置では、上部吹出口および下部吹出口は、いずれか一方のみあるいは同時に用いられることが可能とされ、冷房運転時あるいは暖房運転時等に最適な効果を発揮されるようにその開閉が制御される。たとえば、暖房運転時には、下部吹出口のみを開くことで、暖められた空調空気が室内の下方へ供給されるので、暖房フィーリングを向上させることができる。
【０００３】
空気調和装置では、ユーザが設定温度、風量、吹出口の選択等を指示できるようにされているが、ユーザは求める室内温度を設定温度として指示し、空調運転は空気調和装置に備えられた制御、言い換えると、自動運転に任せるのが一般的である。
ユーザは、空気調和装置を起動すると、早急に冷房感あるいは暖房感を得ることを求めるものであり、それに応えるため空気調和装置では種々の工夫をしている。
たとえば、特許文献１に示されるものでは、暖房運転の起動時など早急に暖房感を得たい場合に、送風量を増加させるとともに上部吹出口および下部吹出口を開放し、上部吹出口および下部吹出口の両方から大量の調和空気が室内に提供されるように工夫している。
【０００４】
【特許文献１】特開２００７−１９８６４１号公報
【発明の開示】
【発明が解決しようとする課題】
【０００５】
ところで、特許文献１に示されるように上部吹出口および下部吹出口の両方から温風を供給するものでは、上部吹出口からの温風が上方に舞上がるため、これに引かれて下部吹出口からの温風も上方へ舞上がる傾向となる。また、下部吹出口から吹き出される温風の風量が制約されることになる。
このため、温風の到達性が低下する、特に、足元への温風の到達性が低下するので、早急に暖房感を得たいというユーザの要求を必ずしも満足させ得ない。
【０００６】
本発明は、このような事情に鑑み、暖房運転の起動時に、温風の到達性を良好とし、早急に暖房感を得られる空気調和装置を提供することを目的とする。
【課題を解決するための手段】
【０００７】
上記課題を解決するため、本発明の空気調和装置は以下の手段を採用する。
すなわち、本発明にかかる空気調和装置は、それぞれ送風機によって室内熱交換器を通って供給される空調空気を室内へ吹き出す、上下方向に離隔して配置された上部吹出口および下部吹出口と、運転を制御する制御部と、を備えている空気調和装置であって、前記制御部には、暖房運転の起動時に投入され、風量が自動設定で、かつ、風向が前記上部吹出口および前記下部吹出口の両方から吹き出される設定である場合に、前記空調空気を所定時間前記下部吹出口からのみ吹き出させる暖房立上運転モードが備えられていることを特徴とする。
【０００８】
本発明によれば、風量が自動設定で、かつ、風向が上部吹出口および下部吹出口の両方から吹き出される設定である場合に、暖房運転が起動されると、制御部は、暖房立上運転モードに入り、空調空気、すなわち、温風を所定時間下部吹出口からのみ吹き出させる。
このように上部吹出口および下部吹出口に分配される空調空気が下部吹出口のみから吹き出されるので、その一部は内部に滞るとしても下部吹出口から吹き出される空調空気を増加させることができる。また、上部吹出口からの吹き出しによる空調空気の舞い上がりの影響を受けないので、下部吹出口から吹き出される空調空気の舞い上がりを抑制することができる。したがって、空調空気、すなわち、温風の到達性が向上し、遠くまで到達させることができる。特に、足元への温風の到達性が向上する。
また、下部吹出口からのみ吹き出される場合には、上部吹出口および下部吹出口から空調空気が吹き出されるのに比べて、全体の風量が若干低下するので、その分吹き出される空調空気の温度は高くなる。
このように、暖房立上運転モードでは、温度の高い空調空気を遠方まで到達させることができるので、早急に暖房感を得たいというユーザの要求を満たすことができる。
なお、所定時間は、たとえば、室内等の空調空間にいるユーザが暖房感を得られる程度の時間とされ、たとえば、１０分〜３０分とされる。
また、暖房立上運転モードに入っている場合、風向が上部吹出口および下部吹出口という設定と異なることになり、ユーザが故障と勘違いする恐れがあるので、たとえば、急速暖房中という表示をしてもよいし、ハイパワーのランプを点灯あるいは点滅させるようにしてもよい。
【０００９】
また、本発明の空気調和装置は、前記暖房立上運転モードは、前記送風機の送風速度を増速することを特徴とする。
【００１０】
このように、暖房立上運転モードは、送風機の送風速度を増速するので、下部吹出口から吹き出される空調空気の風量および風速を増加させることができる。
これにより、より大量の空調空気をより遠方まで到達させることができるので、早急に暖房感を得たいというユーザの要求を一層早く満足させることができる。
【００１１】
さらに、本発明の空気調和装置は、前記暖房立上運転モードは、前記風量あるいは前記風向の設定が変更された場合、前記所定時間の経過を待たずに終了されることを特徴とする。
【００１２】
風量を自動から変更し、たとえば、強、中、弱にされると、ユーザはその強さの風量を求めていると判断し、暖房立上運転モードを終了することとした。
風向が上部吹出口と設定されると、ユーザは下部吹出口からの空調空気の吹出しを望んでいないと判断し、暖房立上運転モードを終了することとした。
このように、ユーザのニーズを最優先するようにしたので、ユーザの満足度を向上させることができる。
【００１３】
また、本発明の空気調和装置は、前記室内熱交換器に吸入される前記室内の空気温度を検出して前記制御部に入力する吸入空気温度検出手段を備え、前記暖房立上運転モードは、前記空気温度が設定された暖房設定温度に近づいた場合、前記所定時間の経過を待たずに終了されることを特徴とする。
【００１４】
吸入空気温度検出手段が検出する室内熱交換器に吸入される室内の空気温度が、暖房設定温度に近づくと、暖房感が得られたと判断し、暖房立上運転モードを終了することとした。
【００１５】
また、本発明の空気調和装置は、前記室内熱交換器の温度を検出して前記制御部に入力する室内熱交換器温度検出手段を備え、前記暖房立上運転モードは、前記室内熱交換気の温度が所定温度を超えていない場合、不実施とされることを特徴とする。
【００１６】
室内熱交換器温度検出手段が検出する室内熱交換気の温度が所定温度を超えていない場合、温度の低い空調空気が吹き出されることになるので、暖房感を得られないことになる。このため、このような場合には、暖房立上運転モードはユーザに不快感を与えることになるので、実施しないこととした。
【発明の効果】
【００１７】
本発明によると、制御部には、暖房運転の起動時に投入され、風量が自動設定で、かつ、風向が上部吹出口および下部吹出口の両方から吹き出される設定である場合に、空調空気を所定時間下部吹出口からのみ吹き出させる暖房立上運転モードが備えられているので、温風の到達性が向上し、遠くまで到達させることができ、早急に暖房感を得たいというユーザの要求を満たすことができる。
【発明を実施するための最良の形態】
【００１８】
以下、本発明の一実施形態にかかる空気調和装置１について、図１〜図４に基づいて説明する。この空気調和装置１は、上下２方向吹き出しの床置形空気調和装置の例である。
図１には、空気調和装置１の冷媒サイクル図が示されている。
空気調和装置１には、室外ユニット３と、室内ユニット５と、が備えられている。
【００１９】
室外ユニット３には、冷媒を圧縮するインバータ駆動の圧縮機７と、冷媒の循環方向を切り換える四方切換弁９と、冷媒と室外気とを熱交換させる室外熱交換器１１と、冷媒の絞り機構として機能する膨張弁１３と、室外気を導入して室外熱交換器１１を通過させる室外気ファン１５と、が備えられている。
【００２０】
室内ユニット５には、室外ユニット３から冷媒の供給を受ける室内熱交換器１７と、室内から空気を導入するとともに、この空気が室内熱交換器１７を通過する際に冷媒と熱交換した空調空気を吹き出す室内気ファンとしてのターボファン（送風機）１９と、が備えられている。
室内熱交換器１７は、たとえば、プレートフィンチューブタイプとされている。
室外ユニット３内の圧縮機７、四方弁９、室外熱交換器１１および膨張弁１３は、室内ユニット５内の室内熱交換器１７と冷媒配管２１で連結されることにより、冷凍サイクルを形成している。
【００２１】
室内ユニット５には、空気調和装置１の運転を制御する制御部２３が備えられている。
室内ユニット５には、室内から導入した室内気の空気温度を検出する室内気温度センサ（吸入空気温度検出手段）２５と、室内熱交換器１７の温度を検出する室内熱交温度センサ（室内熱交換器温度検出手段）２７と、が備えられている。
室内気温度センサ２５が検出する室内気の温度および室内熱交温度センサ２７が検出する室内熱交換器１７の温度は制御部２３に入力される。
【００２２】
図２は、室内ユニット５の外観を示す斜視図である。図３は、室内ユニット５の縦断面図である。
室内ユニット５は、上下２方向吹き出しタイプの床置き形で、ベース３１と前面パネル３３とによって構成された横長な略直方体形状のケーシング３５を備えている。
前面パネル３３の前面には、室内の空気を吸い込む吸込口３７が上下に離隔して２個開口されている。吸込口３７には、吸込グリル３９が設けられている。
【００２３】
前面パネル４の前面から上にかけてのコーナー部分には、上部吹出口４１が幅方向に水平に開口されている。上部吹出口４１は、開口部に回動自在に設置されている水平ルーバ４３によって開閉可能とされている。
前面パネル４の下方部には、下部吹出口４５が幅方向に水平に開口されている。下部吹出口４５は、開口部に回動自在に設置されている水平ルーバ４７によって開閉可能とされている。
【００２４】
ケーシング３５内において、吸込グリル３９の背後には、エアーフィルタ４９が着脱自在に配設され、その背後には、室内熱交換器１７が固定設置されている。
室内熱交換器１７の下部には、ドレンパン５１が配設されており、冷房および除湿運転時に室内熱交換器１７の表面で結露し落下するドレン水を受け、図示省略のドレンホースを介して外部に排出する構成とされている。
【００２５】
室内熱交換器１７の背後（空気流れ方向下流側）には、室内熱交換器１７を流通した空気をその下流側に設置されているターボファン１９に導くためのベルマウス５３が配設されている。
ベルマウス５３の中央部には、ターボファン１９に対向した円形のベル形状とされた吸込口５５が設けられている。また、ベルマウス５３の下流には、吸込口５５に対向するようにターボファン１９が設置されている。
【００２６】
ターボファン１９は、主板５７とシュラウド５９と複数枚のブレード６１とから構成されている。主板５７の中心部がベース３１上に固定設置されているモータ６３の回転軸６５先端に固定されることにより、モータ６３を介して水平軸周りに回転駆動されるようになっている。
ターボファン１９を介してラジアル方向に吹き出される空調空気は、ターボファン１９の外周から接線方向に対して外向きにある角度をもって吹き出されるようになる。
【００２７】
ターボファン１９から吹き出された空調空気を上部吹出口４１に導くための導風路６７が、ベース３１とベルマウス５３との間に形成されている。
ターボファン１９から吹き出された空調空気を下部吹出口４５に導くための導風路６９が、ベース３１とベルマウス５３との間に形成されている。
導風路６７，６９に対応するベース３１には、ターボファン１９から吹き出された空調空気をガイドするノーズ部７１，７３が一体に成形されている。
【００２８】
上部側の導風路６７には、上部吹出口４１の長手方向に沿って複数枚の縦ルーバ７５が互いに連結されて縦軸周りに回動可能に設置されている。
下部側の導風路６９には、下部吹出口４５の長手方向に沿って複数枚の縦ルーバ７７が互いに連結されて縦軸周りに回動可能に設置されている。
【００２９】
制御部２３は、各種センサから入力された検出値およびユーザが指示した諸設定の入力を受けて、所定のプログラムに基づいた制御信号を出力し、空気調和装置１の運転を制御する。
制御部２３は、たとえば、圧縮機７のオン・オフや回転数、四方弁９の流路切換、ターボファン１９および室外ファン１５のオン・オフや回転数、上部吹出口４１および下部吹出口４５の開閉等について、制御する。
【００３０】
制御部２３には、暖房運転の起動時に投入され、風量が自動設定で、かつ、風向が上部吹出口および下部吹出口の両方から吹き出される設定である場合に、ターボファン１９から吹き出された空調空気を所定時間下部吹出口からのみ室内へ吹き出させる暖房立上運転モード７９が備えられている。
【００３１】
このように構成された空調機１において、冷房運転時および暖房運転時の冷媒循環方向は下記の通りである。
冷房運転時には、冷媒が図１中に実線矢印で示す方向へ循環する。この結果、室外熱交換器１１が放熱器（蒸発器）として機能し、室内熱交換器１７が吸熱器（凝縮器）として機能するので、室内熱交換器１７を通過する室内気は、冷媒に吸熱されて温度低下した空調空気が室内へ向けて吹き出される。
暖房運転時には、冷媒が図中に破線矢印で示す方向へ循環する。この結果、室内熱交換器１７が放熱器（蒸発器）として機能し、室外熱交換器１１が吸熱器（凝縮器）として機能するので、室内熱交換器１７を通過する室内気は、冷媒の放熱を受けて温度上昇した空調空気が室内へ向けて吹き出される。
【００３２】
室内ユニット５におけるターボファン１９による空調空気の吹き出しは次のように行われる。
ターボファン１９が回転されると、室内の空気が吸込口３７から吸込グリル３９を介してケーシング３５内に吸い込まれる。
この空気は、エアーフィルタ４９で塵埃が除去された後、室内熱交換器４９を通過する過程で冷媒と熱交換されることによって冷却または加熱されて空調空気とされる。
空調空気は、ベルマウス５３により案内されてベル形状の吸込口５５からターボファン１９に吸い込まれ、昇圧される。
【００３３】
ターボファン１９によって昇圧された空調空気は、ターボファン１９の外周部から接線方向に対して外向きにある角度をもって吹き出される。
この空調空気は、ノーズ部７１，７３によりガイドされながら、導風路６７，６９を経て上部吹出口４１および／または下部吹出口４５に導かれ、室内へと吹き出されることによって冷房または暖房に供される。
空調空気の室内への吹き出しは、設定された吹出モードに応じて上部吹出口４１および下部吹出口４５の双方、またはそのいずれか一方から選択的に吹き出される。
【００３４】
次に、暖房立上運転モード７９の動作について図４に基づいて説明する。
図４は、暖房立上運転モード７９を示すフロー図である。
ユーザが設定温度ＳＰ、風量、風向等の諸設定を入力して暖房運転が開始される（ステップＳ１）。
風量の設定は、たとえば、「強」、「中」、「弱」と具体的に指示する場合と、制御部２３が各種センサの情報に基づいて最適な風量を設定する「自動」を指示する場合がある。
風向は、上部吹出口４１および下部吹出口４５の双方（上下吹出）、またはそのいずれか一方が指示される。
【００３５】
制御部２３は、暖房立上運転モード７９の開始条件が成立しているか否かを判断する（ステップＳ２）。
開始条件としては、風量が「自動」であること、および、風向が上下吹出であることである。
この開始条件が成立しない（ＮＯ）場合、制御部２３は暖房立上運転モード７９を解除する（ステップＳ１０）。
【００３６】
この開始条件が成立した（ＹＥＳ）場合、制御部２３は室内熱交温度センサ２７が検出する室内熱交換器１７の検出温度Ｔｈ２が所定温度Ｓｈ２よりも大きくなっているかを判断する（ステップＳ３）。
所定温度Ｓｈ２は、室内熱交換器１７を通った空調空気が所望の温度になるために必要な室内熱交換器１７の温度であり、たとえば、２８℃とされる。
検出温度Ｔｈ２が所定温度Ｓｈ２よりも低い（ＮＯ）場合、制御部２３は暖房立上運転モード７９による運転を見送る。
【００３７】
これにより、温度の低い空調空気が吹き出されることが無くなるので、暖房立上運転モード７９による運転によってユーザに不快感を与えることを防止できる。
また、制御部２３は、たとえば、ウォーミングアップ（予約運転）モードでウォーミングアップタイマによって運転されている場合には、暖房立上運転モード７９による運転を見合わせ、ウォーミングアップタイマの設定時刻経過後に必要に応じて暖房立上運転モード７９による運転を行うようにしてもよい。
【００３８】
検出温度Ｔｈ２が所定温度Ｓｈ２よりも低い（ＮＯ）場合、制御部２３は暖房立上運転モード７９による運転を開始する（ステップＳ４）。
すなわち、図２は、上下吹出の設定により上部吹出口４１および下部吹出口４５の双方が開放されている状態を示しているが、この状態から、水平ルーバ４３を回転させ、上部吹出口４１を閉じる。これにより、空調空気は下部吹出口４５からのみ吹き出すこととなる。
さらに、ターボファン１９の回転速度を増速する。
【００３９】
このようにすると、上部吹出口４１および下部吹出口４５に分配される空調空気が下部吹出口４５のみから吹き出されるので、その一部は内部に滞るとしても下部吹出口４５から吹き出される空調空気を増加させることができる。
また、下部吹出口４５から吹き出される空調空気は上部吹出口４１からの吹き出しによる空調空気の舞い上がりの影響を受けないので、下部吹出口４５から吹き出される空調空気の舞い上がりを抑制することができる。
したがって、空調空気、すなわち、温風の到達性が向上し、遠くまで到達させることができる。特に、足元への温風の到達性が向上する。
【００４０】
また、下部吹出口４１からのみ吹き出される場合には、上部吹出口４１および下部吹出口４５から空調空気が吹き出されるのに比べて、全体の風量が若干低下するので、その分吹き出される空調空気の温度は高くなる。
このように、暖房立上運転モード７９による運転を行うと、温度の高い空調空気を遠方まで到達させることができるので、早急に暖房感を得たいというユーザの要求を満たすことができる。
【００４１】
なお、暖房立上運転モード７９による運転に入っている場合、風向が上部吹出口４１および下部吹出口４５という設定と異なることになり、ユーザが故障と勘違いする恐れがあるので、この勘違いを抑制するために、たとえば、急速暖房中という表示をしてもよいし、ハイパワーのランプを点灯あるいは点滅させるようにしてもよい。
【００４２】
また、暖房立上運転モード７９による運転では、ターボファン１９の送風速度を増速するので、下部吹出口から吹き出される空調空気の風量および風速を増加させることができる。
これにより、より大量の空調空気をより遠方まで到達させることができるので、早急に暖房感を得たいというユーザの要求を一層早く満足させることができる。
【００４３】
制御部２３は、暖房立上運転モード７９による運転に入ると、ステップＳ５〜ステップＳ９の各判断をシーケンスにあるいはランダムに行い、各ステップでの独立した判断によって暖房立上運転モード７９を解除するかを判断する。
【００４４】
すなわち、ステップＳ５では、室内運転モードが暖房か否かを判断し、暖房以外となった（ＮＯ）場合、暖房運転という前提条件がなくなるので、暖房立上運転モード７９を解除する。
【００４５】
ステップＳ６では、室内気温度センサ２５が検出する室内から導入した室内気温度Ｔｈ１と設定温度ＳＰとの差が２℃（設定温度ＳＰの方が高い）以内に入ったか否かを判断する。室内気温度Ｔｈ１がその範囲に入った（ＹＥＳ）場合、暖房感が得られたと判断し、暖房立上運転モード７９を解除する。
なお、２℃は室内気温度Ｔｈ１が設定温度ＳＰに近づいたことを示す例示であり、これに限定されることなく、たとえば、−１℃〜３℃の範囲で状況に応じて選定される。
【００４６】
ステップＳ７では、風量が自動か否かを判断し、自動以外（ＮＯ）の場合、暖房立上運転モード７９を解除する。
これは風量を自動から変更し、たとえば、強、中、弱にされると、ユーザはその強さの風量を求めていると判断し、暖房運転立上モード７９を終了することとしたものです。
【００４７】
ステップＳ８では、風向が上という指示、すなわち、上部吹出口４１のみから空調空気を吹き出すという指示か否かを判断し、風向が上である（ＹＥＳ）場合、暖房立上運転モード７９を解除する。
これは風向が上と設定されると、ユーザは下部吹出口４５からの空調空気の吹出しを望んでいないと判断し、暖房運転立上モード７９を終了することとしたものです。
ステップＳ７およびステップＳ８のように、ユーザのニーズを最優先するようにしたので、ユーザの満足度を向上させることができる。
【００４８】
ステップＳ９では、暖房立上運転モード７９による運転を開始して２０分（所定時間）経過したか否かを判断する。２０分経過した（ＹＥＳ）場合、十分な暖房感が得られたと判断し、暖房立上運転モード７９を解除する。
なお、所定時間としての２０分は、たとえば、室内等の空調空間にいるユーザが暖房感を得られる程度の時間として例示したものであり、たとえば、１０分〜３０分の範囲で状況に応じて選定される。
【００４９】
なお、本発明は、上記した実施形態に限定されるものではなく、その要旨を逸脱しない範囲において、適宜変形が可能である。
たとえば、暖房立上運転モード７９を解除する判断条件として、ステップＳ５〜ステップＳ８は必ずしも用いなくても本発明の効果を奏することはできる。したがって、これらは、必要に応じて取捨選択されるものである。
【図面の簡単な説明】
【００５０】
【図１】本発明の一実施形態にかかる空気調和装置の冷媒サイクル図である。
【図２】本発明の一実施形態にかかる室内ユニットの外観を示す斜視図である。
【図３】本発明の一実施形態にかかる室内ユニットの縦断面図である。
【図４】本発明の一実施形態にかかる暖房立上運転モードを示すフロー図である。
【符号の説明】
【００５１】
１  空気調和装置
１７  室内熱交換器
１９  ターボファン
２３  制御部
４１  上部吹出口
４５  下部吹出口
７９  暖房立上運転モード
【図１】
2010078254.tif 000003
【図２】
2010078254.tif 000004
【図３】
2010078254.tif 000005
【図４】
2010078254.tif 000006